(57)【要約】【課題】印刷処理の際、ジョブ本来の蓄積元の情報処理端末の稼働の有無に関わらず、印刷処理を実行する。【解決手段】グループ内のクライアントＰＣ１００がシャットダウンがあったとき、グループ内の他のクライアントＰＣ１００にジョブを転送し、蓄積させてバックアップし、かつこのバックアップに関する情報を常に更新管理するようにしたため、認証印刷制御端末１０４による印刷指示の際、目的とするジョブがもともと管理するクライアントＰＣ１００がシャットダウンされていても、バックアップしたジョブによりプリント処理が可能となる。【選択図】図１
2009075832.tif 000002
【特許請求の範囲】
【請求項１】
複数の情報処理端末と、これらの情報処理端末とネットワーク接続され、それぞれの情報端末から出力されるデータに基づいて印刷可能なプリンタと、前記複数の情報処理端末にアクセスして前記データを読み出し、前記プリンタへ印刷指示する印刷処理端末と、を備えた情報処理システムであって、
ネットワーク接続された一の情報処理端末で生成したジョブを他の情報処理端末へ送信するジョブ送信手段と、
前記ジョブ送信手段によるジョブの送信を受けた他の情報処理端末で当該ジョブを蓄積するジョブ蓄積手段と、
を有する情報処理システム。
【請求項２】
前記ジョブ送信手段によるジョブ送信が、前記一の情報処理端末に対してシャットダウン指示があったときに実行されることを特徴とする請求項１記載の情報処理システム。
【請求項３】
前記ジョブ送信手段で他の情報処理装置に送信され、かつ前記ジョブ蓄積手段で蓄積されたジョブに対して、前記プリンタでの印刷処理完了後に、各情報処理端末のジョブ蓄積手段に蓄積されている該当ジョブを削除するジョブ削除手段をさらに有することを特徴とする請求項１又は請求項２記載の情報処理システム。
【請求項４】
前記ジョブ送信手段で他の情報処理装置に送信され、かつ前記ジョブ蓄積手段で蓄積されたジョブに対して、ジョブの蓄積有効期間を設定する有効期間設定手段をさらに有することを特徴とする請求項１〜請求項３の何れか１記載の情報処理システム。
【請求項５】
前記ジョブ送信手段で他の情報処理装置に送信され、かつ前記ジョブ蓄積手段で蓄積されたジョブに対して、前記ジョブ送信当事者である一の情報処理端末の専有使用者を判別する認証情報を付加する認証情報付加手段をさらに有し、前記印刷処理端末では、前記認証情報付加手段によって付加された認証情報に基づき、前記一の情報処理端末の専有使用者である場合に印刷を許可することをと特徴とする請求項１〜請求項４の何れか１項記載の情報処理システム。
【請求項６】
前記ジョブを蓄積しあう情報処理端末と、この情報処理端末からデータを読出可能な印刷処理端末と、で構成されるグループ間において共有され、ジョブ単位での処理状況が更新されるジョブ実行管理表を記憶するョブ実行管理表記憶手段をさらに有することを特徴とする請求項１〜請求項５の何れか１項記載の情報処理システム。
【請求項７】
前記ジョブ実行管理表記憶手段が、携帯可能な記録媒体であることを特徴とする請求項６記載の情報処理システム。
【発明の詳細な説明】
【技術分野】
【０００１】
本発明は、複数の情報処理端末と、これらの情報処理端末とネットワーク接続され、それぞれの情報端末から出力されるデータに基づいて印刷可能なプリンタと、前記複数の情報処理端末にアクセスして前記データを読み出し、前記プリンタへ印刷指示する印刷処理端末と、を備えた情報処理システムに関するものである。
【背景技術】
【０００２】
近年、１台のプリンタとプリンタドライバがインストールされた複数のＰＣとがネットワークによって接続されているネットワークプリントシステムにおいて、プリンタの操作パネルからユーザＩＤとパスワードを入力し、プリントアウトするジョブを保持しているＰＣを選択し、選択したＰＣが稼働している（電源オン状態である）ことを条件に、当該ＰＣからジョブを読み出すことで、プリントアウトが実現可能となっている（特許文献１参照）。
【特許文献１】特開２００６−１２３４３７公報
【発明の開示】
【発明が解決しようとする課題】
【０００３】
本発明は上記事実を考慮し、印刷処理の際、ジョブの本来の蓄積元の情報処理端末の稼働の有無に関わらず、印刷処理を実行することができる情報処理システムを得ることが目的である。
【課題を解決するための手段】
【０００４】
請求項１に記載の発明は、複数の情報処理端末と、これらの情報処理端末とネットワーク接続され、それぞれの情報端末から出力されるデータに基づいて印刷可能なプリンタと、前記複数の情報処理端末にアクセスして前記データを読み出し、前記プリンタへ印刷指示する印刷処理端末と、を備えた情報処理システムであって、ネットワーク接続された一の情報処理端末で生成したジョブを他の情報処理端末へ送信するジョブ送信手段と、前記ジョブ送信手段によるジョブの送信を受けた他の情報処理端末で当該ジョブを蓄積するジョブ蓄積手段と、を有してる。
【０００５】
請求項２に記載の発明は、前記請求項１に記載の発明において、前記ジョブ送信手段によるジョブ送信が、前記一の情報処理端末に対してシャットダウン指示があったときに実行されることを特徴としている。
【０００６】
請求項３に記載の発明は、前記請求項１又は請求項２に記載の発明において、前記ジョブ送信手段で他の情報処理装置に送信され、かつ前記ジョブ蓄積手段で蓄積されたジョブに対して、前記プリンタでの印刷処理完了後に、各情報処理端末のジョブ蓄積手段に蓄積されている該当ジョブを削除するジョブ削除手段をさらに有することを特徴としている。
【０００７】
請求項４に記載の発明は、前記請求項１〜請求項３の何れか１項記載の発明において、前記ジョブ送信手段で他の情報処理装置に送信され、かつ前記ジョブ蓄積手段で蓄積されたジョブに対して、ジョブの蓄積有効期間を設定する有効期間設定手段をさらに有することを特徴としている。
【０００８】
請求項５に記載の発明は、前記請求項１〜請求項４の何れか１項記載の発明において、前記ジョブ送信手段で他の情報処理装置に送信され、かつ前記ジョブ蓄積手段で蓄積されたジョブに対して、前記ジョブ送信当事者である一の情報処理端末の専有使用者を判別する認証情報を付加する認証情報付加手段をさらに有し、前記印刷処理端末では、前記認証情報付加手段によって付加された認証情報に基づき、前記一の情報処理端末の専有使用者である場合に印刷を許可することをと特徴としている。
【０００９】
請求項６に記載の発明は、前記請求項１〜請求項５の何れか１項記載の発明において、前記ジョブを蓄積しあう情報処理端末と、この情報処理端末からデータを読出可能な印刷処理端末と、で構成されるグループ間において共有され、ジョブ単位での処理状況が更新されるジョブ実行管理表を記憶するョブ実行管理表記憶手段をさらに有することを特徴としている。
【００１０】
請求項７に記載の発明は、前記請求項６に記載の発明において、前記ジョブ実行管理表記憶手段が、携帯可能な記録媒体であることを特徴としている。
【発明の効果】
【００１１】
以上説明した如く請求項１に記載の発明では、印刷処理の際、ジョブの本来の蓄積元の情報処理端末の稼働の有無に関わらず、印刷処理を実行することができる。
【００１２】
請求項２に記載の発明では、シャットダウン指示をトリガとして、他の情報処理端末へのジョブ送信を行うことができる。
【００１３】
請求項３に記載の発明では、不要なジョブを迅速に削除することができる。
【００１４】
請求項４に記載の発明では、ジョブに蓄積期限を設けることで、経時的に不必要となったジョブを削除することができるため、効率的な記憶領域の利用が可能となる。
【００１５】
請求項５に記載の発明では、複数の情報処理端末にジョブを送信して、蓄積しても、専有使用者を認証情報に基づいて特定することができるため、秘密保持が可能となる。
【００１６】
請求項６に記載の発明では、ジョブの管理をグループに属する情報処理端末や印刷処理端末で管理することができる。
【００１７】
請求項７に記載の発明では、携帯可能な記録媒体の保持者にのみ、ジョブのアクセス権利が与えられるため、グループ内でのジョブ管理と情報を秘密保持とを併用することができる。
【発明を実施するための最良の形態】
【００１８】
図１には、本実施の形態に係る情報処理システムが示されている。この情報処理システムは、複数台（図１では、２台）のプリンタ１０（以下、必要に応じて符号の末尾に「ａ」又は「ｂ」を付して区別する。）と、このプリンタ１０を用いて画像形成するジョブを作成し、かつ当該ジョブをプリンタ１０へ送信する複数台（図１では、３台）のクライアントＰＣ１００（以下、必要に応じて符号の末尾に「Ａ」、「Ｂ」、「Ｃ」を付して区別する。）とがネットワーク１０２介して接続されて構成されている。また、プリンタ１０の近傍には、それぞれ、プリンタ１０のユーザーインターフェイス（ＵＩ）として、複数台（図１では、２台）の認証印刷制御端末１０４（以下、必要に応じて符号の末尾に「ａ」又は「ｂ」を付して区別する。）が設けられ、ネットワーク１０２に接続されている。
【００１９】
なお、以下において、前述したＰＣ１００、認証印刷制御端末１０４及びプリンタ１０の構成を１つの「グループ」として説明するが、「グループ」内のＰＣ１００、認証印刷制御端末１０４及びプリンタ１０の構成数は上記に限定されるものではない。
【００２０】
プリンタ１０には、装置本体下部に複数段に渡って配置された給紙トレイ１２が設けられ、サイズが指定されることで、選択的に給紙トレイ１２から記録シートが給紙装置によって１枚ずつ引き出され、プリンタ１０の内部の画像形成部１４に搬送されるようになっている。
【００２１】
画像形成部１４には、シート材に画像を形成する感光体ドラムが配設され、かつ感光体ドラムの周囲には、帯電装置、光走査装置、現像装置、転写装置等が配設されている（それぞれ図示省略）。
【００２２】
感光体ドラムの周面は、一様に帯電された後、光走査装置によって画像データに基づく静電潜像が形成され、形成された静電潜像を現像装置によってトナー現像する。その後、転写装置を通過することで、感光体ドラム上のトナー画像がシート材に転写する構成となっている。画像が転写されたシート材は定着装置によって加熱、加圧処理され、画像が定着された状態で排出されるようになっている。
【００２３】
上記プリンタ１０は、前記認証印刷制御端末１０４からの指示によって稼働する。認証印刷制御端末１０４のタッチパネル部１０４Ａは、情報表示部と情報入力部の機能を兼ねており、オペレータはこのタッチパネル部１０４Ａの適宜箇所を指等を接触（加圧）することで、当該適宜箇所に表示された情報に関する指示が入力される。
【００２４】
認証印刷制御端末１０４では、オペレータによるタッチ操作によって、前記クライアントＰＣ１００へアクセスし、当該クライアントＰＣ１００との認証を行い、かつクライアントＰＣ１００からジョブを読み出して、プリンタ１０での印刷処理を指示する役目を有している。
【００２５】
ところで、クライアントＰＣ１００へアクセスする場合、当然であるが、当該アクセス先のクライアントＰＣ１００が稼働状態（電源オン状態）である必要がある。言い換えれば、クライアントＰＣ１００がシャットダウン（電源オフ）されていると、クライアントＰＣ１００へのアクセス不通で、認証もできなければ、肝心のジョブも読み出すことができない。
【００２６】
そこで、本実施の形態では、クライアントＰＣ１００（例えば、クライアントＰＣ１００Ａ）をシャットダウンするときに、当該シャットダウンするクライアントＰＣ１００Ａに蓄積されているジョブ（例えば、ジョブＡ）を他の稼働中のクライアントＰＣ１００（例えば、クライアントＰＣ１００Ｂ）に転送し、ジョブＡcopyとして蓄積するようにした。
【００２７】
一方、認証印刷制御端末１０４では、プリンタ１０を用いたプリントを実行する際に、グループ内の全てのクライアントＰＣ１００が蓄積しているジョブのリスト（管理表）を取得し、プリントアウト権限のあるジョブを検索する。
【００２８】
以下、図２及び図３において、クライアントＰＣ１００と、認証印刷制御端末１０４との間で実行される特定ジョブのプリントアウト指示制御に特化した機能ブロック図を示す。
【００２９】
なお、この機能ブロック図は、クライアントＰＣ１００及び認証印刷制御端末１０４のハード構成を限定するものではない。
【００３０】
図２は、クライアントＰＣ１００でのジョブデータ処理手順を示す機能ブロック図である。
【００３１】
クライアントＰＣ１００の本来の機能は、主制御部１０６の制御によって実行されるものとし、このため、主制御部１０６には、Ｉ／Ｏ１０８を介してキーボード１１０、マウス１１２及びモニタ１１４等の周辺機器が接続されている。
【００３２】
主制御部１０６には、データベース（ＤＢ：例えば、ハードディスク（ＨＤ）等）１１６が接続され、データの保存（記憶）管理領域、処理中のデータ一時記憶領域等に利用されるようになっている。
【００３３】
主制御部１０６は、ネットワークＩ／Ｆ１１８と相互に接続されており、少なくともグループ内の他クライアントＰＣ１００におけるジョブ情報を入手し、管理表編集部１２０に送出するようになっている。管理表編集部１２０では、前記データベース１１６に記憶されている管理表を逐次編集する。
【００３４】
管理表とは、表１に示されるように、各クライアントＰＣ１００で保持しているジョブ情報、認証印刷端末１０４で管理しているプリント情報が一覧となったものである。この管理表により、グループ内のジョブ管理情報を共有している。この表１の項目の設定は、特に限定されるものではなく、要は、全てのクライアントＰＣ１００のジョブの蓄積状況、並びにプリント実行の有無がわかればよい。
【００３５】
【表１】
2009075832.tif 000003
【００３６】
クライアントＰＣ１００は、上記シャットダウン時に自身が蓄積するジョブのプリントができなくなる不具合に対する相互の救済として、以下の３つの機能を有している（ジョブ転送機能、ジョブ蓄積機能、ジョブ出力機能）。
【００３７】
（ジョブの転送機能）
主制御部１０６には、シャットダウン処理実行指示部１２２が接続されている。主制御部１０６では、当該クライアントＰＣ１００がシャットダウンされると、完全に電源電力が落とされる前に、シャットダウン信号をシャットダウン処理実行指示部１２２に送出する。
【００３８】
シャットダウン処理実行指示部１２２には、グループ内ＰＣ稼働状態認識部１２４と、ジョブデータ読出指示部１２６が接続されている。
【００３９】
グループ内ＰＣ稼働情報認識部１２４は、前記ネットワークＩ／Ｆ１１８に接続され、当該ネットワーク１０２に接続されているグループ内の全てのクライアントＰＣ１００の稼働状態に関する情報を得る。
【００４０】
グループ内ＰＣ稼働状態認識部１２４は、転送先ＰＣ決定部１２８に接続されている。グループ内ＰＣ稼働状態認識部１２４では、得られた情報を転送先ＰＣ決定部１２８に送出する。転送先ＰＣ決定部１２８では、ジョブの転送先を決定し、その決定情報（転送先）をジョブデータ転送実行部１３０へ送出する。
【００４１】
一方、ジョブデータ読出指示部１２６は、ジョブデータ読出部１３２に接続されている。ジョブデータ読出指示部１２６は、シャットダウン処理実行部１２２からの信号に基づいて、ジョブデータ読出部１３２を起動する。
【００４２】
ジョブデータ読出部１３２では、データベース１１６に蓄積されているプリント可能な全てのジョブ、或いは予め指定されていたジョブを読み出し、前記ジョブデータ転送実行部１３０へ送出する。
【００４３】
ジョブデータ転送実行部１３０では、前記転送先ＰＣ決定部１２８からの決定情報に基づいて、読み出したジョブの転送を実行するべく、ネットワークＩ／Ｆ１１８を介して、ジョブデータをアップロードする。
【００４４】
上記ジョブの転送をより具体的に示すと、図１のクライアントＰＣ１００Ａのデータベース１１６にジョブＡが蓄積（保存）されているとき、クライアントＰＣ１００Ａに対してシャットダウンの指示が出される。
【００４５】
このシャットダウン指示に基づき、クライアントＰＣ１００Ａでは、クライアントＰＣ１００Ｂを転送先に決定し、ジョブＡを読み出して、クライアントＰＣ１００Ｂへ当該ジョブＡを転送（アップロード）する。
【００４６】
この結果、クライアントＰＣ１００Ｂのデータベース１１６には、ジョブＡcopyが蓄積される。
【００４７】
また、図１では、併せてクライアントＰＣ１００ＣがジョブＣをクライアントＰＣ１００ＢにジョブＢcopyとしてバックアップしている。この結果、クライアントＰＣ１００Ｂのデータベース１１６には、ジョブＡcopy、ジョブＢcopyが蓄積される。
【００４８】
（ジョブの蓄積機能）
図２に示される如く、ネットワークＩ／Ｆ１１８には、転送ジョブデータ蓄積受付部１３３に接続されている。
【００４９】
この転送ジョブデータ蓄積受付部１３３は、ネットワークＩ／Ｆ１１８を介して、グループ内のクライアントＰＣ１００から転送されてくるジョブデータを受け付ける役目を有している。
【００５０】
転送ジョブデータ受付部１３２は、前記管理表編集部１２０及び転送ジョブデータ蓄積実行部１３４に接続されている。管理表編集部１２０では、転送ジョブデータ受付部１３２で他のクライアントＰＣ１００から転送されてきたジョブを受け付けたことを認識すると、当該情報を管理表（表１参照）に更新する。
【００５１】
また、転送ジョブデータ蓄積実行部１３４では、転送ジョブデータ受付部１３２で受け付けた転送ジョブをデータベース１１６へ蓄積する。
【００５２】
このジョブの蓄積機能は、前述したジョブの転送機能の具体例におけるクライアントＰＣ１００Ｂに相当する。言い換えれば、３台のクライアントＰＣ１００Ａ、１００Ｂ、１００Ｃの全てが、ジョブを転送する側にもなり、転送されたジョブを受け付けて蓄積する側にもなり得る。
【００５３】
（ジョブの出力機能）
図１に示される如く、ネットワークＩ／Ｆ１１８には、蓄積ジョブデータ出力受付部１３６に接続されている。
【００５４】
この蓄積ジョブデータ出力受付部１３６では、認証印刷制御端末１０４からのジョブ要求を受け付け、当該受け付けたジョブを特定し、蓄積ジョブデータ読出指示部１３８へ送出する。なお、この蓄積ジョブデータ出力受付部１３６では、認証のための通信プロトコルを実行する。
【００５５】
蓄積ジョブデータ読出指示部１３８では、特定されたジョブデータをデータベース１１６から読み出すように、蓄積ジョブデータ読出部１４０を起動させる。
【００５６】
この蓄積ジョブデータ読出部１４０は、蓄積ジョブデータ出力実行部１４２に接続され、読み出されたジョブデータをネットワークＩ／Ｆ１１８を介して、要求元の認証印刷端末１０４へ送出する。
【００５７】
なお、蓄積ジョブデータ出力受付部１３６及び蓄積ジョブデータ出力実行部１４２はそれぞれ管理表編集部１２０に接続され、それぞれの情報に基づいて管理表が更新される。
【００５８】
図３は、認証印刷制御端末１０４におけるジョブの読出手順を機能的に示したブロック図である。
【００５９】
認証印刷制御端末１０４の主構成であるタッチパネル部１０４Ａは、情報を表示する他、オペレータの入力キーとしての役目を兼ねる。
【００６０】
このため、タッチパネル１０４Ａには、タッチ操作情報解析部１５０及び表示制御部１５２が接続されている。表示制御部１５２には、表示データメモリ１５４が接続され、予め設定された表示項目が記憶され、表示制御部１５２に入力される各種情報に基づいて、画像データが読み出され、タッチパネル部１０４Ａへ送出するようになっている。
【００６１】
タッチ操作情報解析部１５０では、タッチパネル部１０４Ａへの操作状態に基づいて、操作内容を解析する。ここでは、ジョブ検索、ジョブ指定、認証実行、プリント指示等の操作内容が解析されることになる。
【００６２】
（第１段階）
タッチ操作情報解析部１５０において解析した結果がジョブ検索の場合は、タッチ操作情報解析部１５０は、管理表読出部１５６へジョブ検索信号を送出する。
【００６３】
管理表読出部１５６は、ネットワークＩ／Ｆ１５８に接続されており、このネットワークＩ／Ｆ１５８を介して、ネットワーク１０２に接続されているグループ内の各クライアントＰＣ１００から管理表を取得する。なお、基本的には各クラアントＰＣ１００から取得した管理表はその内容が同一であるが、若干のタイムラグにより多少異なる場合もあり得る。
【００６４】
管理表読出部１５６は、表示制御部１５２に接続されている。管理表読出部１５６では、読み出した管理表のデータを表示制御部１５２へ送出すると、表示制御部１５２では、管理表のデータと、表示データメモリ１５４に記憶されている表フォーマットデータとを組み合わせ、管理表としてタッチパネル部１０４Ａへ表示する。
【００６５】
（第２段階）
タッチパネル部１０４Ａに管理表が表示されている場合、オペレータは当該管理表の中からジョブを指定することが可能である。
【００６６】
タッチ操作情報解析部１５０において解析した結果がジョブ指定の場合は、タッチ操作情報解析部１５０は、該当ＰＣ認証制御部１６０へジョブ指定信号を送出する。
【００６７】
該当ＰＣ認証制御部１６０では、このジョブ指定に基づいて、当該ジョブが蓄積されているクライアントＰＣ１００との間で認証処理を行うべく、表示制御部１５２に認証実行経過情報を送出する。
【００６８】
これにより、タッチパネル部１０４Ａでは、認証操作に伴って、表示内容が逐次変化し、認証が実行されていく。該当ＰＣ認証制御部１６０では、認証が完了すると認証完了信号をジョブデータダウンロード部１６２へ送出する。
【００６９】
ジョブデータダウンロード部１６２は、ネットワークＩ／Ｆ１５８と接続されており、ジョブデータをダウンロードする。
【００７０】
ジョブデータダウンロード部１６２は、プリント実行制御部１６４に接続されており、ダウンロードしたジョブデータを当該プリント実行制御部１６４に送出する。
【００７１】
（第３段階）
プリント実行制御部１６４は表示制御部１５２に対してプリントの可否信号、すなわち、ジョブデータが存在しプリントすることが可能であるか否かの情報を表示制御部１５２に送出する。これにより、表示制御部１５２では、タッチパネル部１０４Ａに表示の可否を表示することが可能となる。
【００７２】
一方、プリント実行制御部１６４は、タッチ操作情報解析部１５０に接続されており、タッチ操作情報解析部１５０からのプリント指示を待つ。オペレータは、タッチパネル部１０４Ａに表示されるプリント可否に関する情報に基づいてプリント指示を操作すると、タッチ操作情報解析部１５０でこれを解析し、プリント指示情報としてプリント実行制御部１６４へ送出する。
【００７３】
プリント実行制御部１６４は、プリンタ１０に接続されている。プリント実行制御部１６４では、ジョブデータが存在し、かつプリント指示があった場合に、プリンタ１０を制御して、当該ジョブに基づく印刷を実行する。
【００７４】
また、プリント実行制御部１６４は管理表編集データ送出部１６６に接続されている。プリント実行制御部１６４から管理表編集データ送出部１６６へはプリント実行情報が送出される。
【００７５】
管理表編集データ送出部１６６は、ネットワークＩ／Ｆ１５８を介して、各クライアントＰＣ１００に対して管理表編集データを送出する。
【００７６】
以下に本実施の形態の作用を図４及び図５のフローチャートに従い説明する。
【００７７】
図４は、クラアントＰＣ１００における、転送機能、蓄積機能、出力機能に関する処理の流れを示す制御フローチャートである。
【００７８】
ステップ２００では、シャットダウン指示があったか否かが判断され、否定判定されるとそのままステップ２００の前に戻る。前記ステップ２００で肯定判定されると、ステップ２０６へ移行して転送処理が実行される。
【００７９】
（転送処理）
ステップ２０６では、グループ内のクライアントＰＣの稼動状況を認識し、次いでステップ２１２へ移行してジョブの転送先を決定し、ステップ２１４へ移行する。
【００８０】
ステップ２１４では、データベース１１６から転送対象ジョブを読み出し、ステップ２１６へ移行して当該ジョブを他のクライアントＰＣ１００へ転送し、他のクライアントＰＣ１００のステップ２０８へ移行すると共に、転送元クラアントＰＣでは次のステップ２１８へ移行する。
【００８１】
次のステップ２１８では、管理表を更新し、次いでステップ２２０へ移行して更新した管理表データを他のクライアントＰＣ１００等へ配信し、このルーチンは終了し、転送元クラアントＰＣ１００はシャットダウン処理を行う。
【００８２】
（蓄積処理）
ステップ２０２で受け付けたジョブは、ステップ２０８において取り込みを実行し、ステップ２２２で自身のデータベース１１６へ当該とり込んだジョブを蓄積する。この場合のジョブは、基のジョブと区別するために、ジョブ名の末尾に”copy”等を付加して、区別することが好ましい。
【００８３】
次のステップ２２４では、管理表を更新し、次いでステップ２２６へ移行して更新した管理表データを他のクライアントＰＣ１００等へ配信し、このルーチンは終了する。
【００８４】
（出力処理）
ステップ２０４でジョブ出力要求を受け付けると、ステップ２１０で認証処理が実行され、次いでステップ２２８へ移行してデータベース１１６から対象ジョブを読み出し、次のステップ２３０では、読み出したジョブを指定の認証印刷制御端末１０４へ送出する。
【００８５】
次のステップ２３２では、管理表を更新し、次いでステップ２３４へ移行して更新した管理表データを他のクライアントＰＣ１００等へ配信し、このルーチンは終了する。
【００８６】
次に、図５は、認証印刷制御端末１０４におけるプリント指示の流れを示す制御フローチャートである。
【００８７】
ステップ２５０では、タッチパネル部１０４Ａにデフォルト画面を表示し、次いでステップ２５２へ移行してプリント画面表示指示があったか否かが判断される。
【００８８】
このステップ２５２で肯定判定されると、ステップ２５４へ移行してプリント画面を表示し、ステップ２５６へ移行する。
【００８９】
ステップ２５６では、管理表画面の表示指示があったか否かが判断され、肯定判定されると、ステップ２５８へ移行して管理表を表示し、ステップ２６０へ移行する。
【００９０】
オペレータはこの表示された管理表を見てジョブを特定（指定）することになる。
【００９１】
次のステップ２６２では、ジョブの指定がなされたか否かが判断され、肯定判定されると、ステップ２６２へ移行して、指定ジョブが蓄積されているクラアントＰＣを検索し、次いで、ステップ２６４へ移行して検索によって特定されたクライアントＰＣとの間で認証処理を実行する。
【００９２】
次のステップ２６６では、認証ＯＫとなったか否かが判断される。このステップ２６６で否定判定、認証ＮＧとなった場合には、ステップ２６８へ移行して認証エラー処理を実行し、このルーチンは終了する。
【００９３】
また、ステップ２６６で肯定判定、認証ＯＫとなった場合には、ステップ２７０へ移行してジョブをダウンロードし、ステップ２７２へ移行する。
【００９４】
ステップ２７２では、ダウンロードが正常に完了したか否かが判断される。このステップ２７２で否定判定となった場合には、ステップ２７４へ移行してダウンロードエラー処理を実行し、このルーチンは終了する。
【００９５】
また、ステップ２７２で肯定判定となった場合には、ステップ２７６へ移行してプリント可能画面／プリント指示画面を表示し、ステップ２７８へ移行する。
【００９６】
ステップ２７８では、プリント指示があったか否かが判断される。
【００９７】
このステップ２７８で否定判定された場合には、ステップ２８０へ移行してキャンセルがあったか否かが判断される。このステップ２８０で否定判定された場合には、ステップ２７８へ戻る。すなわち、ステップ２７８又はステップ２８０の何れかで肯定判定されるまで、ステップ２７８、ステップ２８０を繰り返す。
【００９８】
ステップ２７８で肯定判定されると、ステップ２８２へ移行して、プリント指示、すなわちプリンタ１０へジョブデータを送出してステップ２８４へ移行する。
【００９９】
ステップ２８４では、管理表の更新を実行し、次いでステップ２８６へ移行して管理表データをクライアントＰＣ１００等へ配信して、ステップ２８８へ移行する。なお、この場合、プリントが完了したジョブに関しては、バックアップされているジョブを削除する指示を同時に行ってもよい。
【０１００】
一方、ステップ２８０で肯定判定されると、ステップ２０へ移行してキャンセル処理を実行し、ステップ２８８へ移行する。
【０１０１】
ステップ２８８では、デフォルト画面を表示して、このルーチンは終了する。
【０１０２】
以上説明した如く本実施の形態では、グループ内のクライアントＰＣ１００がシャットダウンがあったとき、グループ内の他のクライアントＰＣ１００にジョブを転送し、蓄積させてバックアップし、かつこのバックアップに関する情報を常に更新管理するようにしたため、認証印刷制御端末１０４による印刷指示の際、目的とするジョブがもともと管理するクライアントＰＣ１００がシャットダウンされていても、バックアップしたジョブによりプリント処理が可能となる。
【０１０３】
本実施の形態では、各クライアントＰＣ１００及び認証印刷制御端末１０４でジョブの状態を認識可能な管理表を共有するようにしたが、管理表をＩＣカード等に記憶し、クライアントＰＣ１００を認証印刷制御端末１０４するようにしてもよい。
【図面の簡単な説明】
【０１０４】
【図１】本実施の形態に係る、情報処理システムの概略構成図である。
【図２】本実施の形態に係る、クライアントＰＣでのジョブデータ処理手順を示す機能ブロック図である。
【図３】本実施の形態に係る、認証印刷制御端末におけるジョブの読出手順を機能的に示したブロック図である。
【図４】本実施の形態に係る、クラアントＰＣにおける、転送機能、蓄積機能、出力機能に関する処理の流れを示す制御フローチャートである。
【図５】本実施の形態に係る、認証印刷制御端末１０４におけるプリント指示の流れを示す制御フローチャートである。
【符号の説明】
【０１０５】
１０    プリンタ
１００    クライアントＰＣ（情報処理端末）
１０２    ネットワーク
１０４    認証印刷制御端末（印刷処理端末）
１２    給紙トレイ
１４    画像形成部
１０４Ａ    タッチパネル部
１０６    主制御部
１０８    Ｉ／Ｏ
１１０    キーボード
１１２    マウス
１１４    モニタ
１１６    データベース（ジョブ蓄積手段）
１１８    ネットワークＩ／Ｆ
１２０    管理表編集部
１２２    シャットダウン処理実行指示部
１２４    グループ内ＰＣ稼働状態認識部（ジョブ送信手段）
１２６    ジョブデータ読出指示部（ジョブ送信手段）
１２８    転送先ＰＣ決定部（ジョブ送信手段）
１３０    ジョブデータ転送実行部（ジョブ送信手段）
１３２    ジョブデータ読出部
１３３    転送ジョブデータ蓄積受付部
１３４    転送ジョブデータ蓄積実行部
１３６    蓄積ジョブデータ出力受付部
１３８    蓄積ジョブデータ読出指示部
１４０    蓄積ジョブデータ読出部
１４２    蓄積ジョブデータ出力実行部
１５０    タッチ操作情報解析部
１５２    表示制御部
１５４    表示データメモリ
１５６    管理表読出部
１５８    ネットワークＩ／Ｆ
１６０    該当ＰＣ認証制御部
１６２    ジョブデータダウンロード部
１６４    プリント実行制御部
１６６    管理表編集データ送出部
【図１】
2009075832.tif 000004
【図２】
2009075832.tif 000005
【図３】
2009075832.tif 000006
【図４】
2009075832.tif 000007
【図５】
2009075832.tif 000008